(57)【要約】      （修正有）【課題】予約ジョブにおいて読み取りが完了した時点で、印刷中ジョブに表示を切り替えることにより、印刷中のジョブが異常状態となっていることを発見しやすくする。【解決手段】原稿読み取りが完了し印刷が実行中である時に、新たなジョブを実行し、前記ジョブの印刷が完了した時点で前記ジョブの印刷を実行するジョブ予約手段と、表示するジョブを切り替える表示ジョブ切り替え手段と、ジョブ予約手段にて生成された印刷待機中のジョブが存在している状態で印刷中のジョブが終了した場合は該印刷中ジョブが抹消されるジョブ抹消手段と、抹消されていない全てのジョブの動作状況を時系列に管理するジョブ管理手段とを有する。ジョブ予約手段にて予約したジョブの原稿読み取りが完了した時点で、前記表示ジョブ切り替え手段は、前記ジョブ管理手段における先頭ジョブを表示する。【選択図】図１３
2006308913.tif 000002
【特許請求の範囲】
【請求項１】
原稿を読み取る手段と、原稿画像を記憶する手段と、記憶した原稿画像を印刷する手段と、ジョブの動作設定及びジョブの実行を指示する操作手段と、ジョブの動作状況、設定状態を表示する表示手段と、原稿読み取りが完了し印刷が実行中である時に、新たなジョブを実行し、前記ジョブの印刷が完了した時点で前記ジョブの印刷を実行するジョブ予約手段と、表示するジョブを切り替える表示ジョブ切り替え手段と、ジョブ予約手段にて生成された印刷待機中のジョブが存在している状態で印刷中のジョブが終了した場合は該印刷中ジョブが抹消されるジョブ抹消手段と、抹消されていない全てのジョブの動作状況を時系列に管理するジョブ管理手段とを有し、ジョブ予約手段にて予約したジョブの原稿読み取りが完了した時点で、該表示ジョブ切り替え手段は、該ジョブ管理手段における先頭ジョブを表示することを特徴とする画像形成装置。
【請求項２】
請求項１において、ジョブ予約手段にて予約したジョブの原稿読み取り完了後、一定時間経過すると、表示ジョブ切り替え手段がジョブ管理手段における先頭ジョブを表示し、前記一定時間内にユーザー操作が発生した場合は、ユーザー操作終了から一定時間経過後に、表示ジョブ切り替え手段がジョブ管理手段における先頭ジョブを表示することを特徴とする画像形成装置。
【請求項３】
請求項２において、ユーザー操作は、予約ジョブの設定変更操作であることを特徴とする画像形成装置。
【請求項４】
請求項２において、ユーザー操作は、表示ジョブ切り替え操作であることを特徴とする画像形成装置。
【請求項５】
請求項２において、ユーザー操作は、表示ジョブの中断操作であることを特徴とする画像形成装置。
【請求項６】
請求項２において、ユーザー操作は、ジョブ予約操作であることを特徴とする画像形成装置。
【請求項７】
請求項２において、ジョブ実行中に該ジョブを停止させた上で新たにジョブを実行し、後者のジョブが終了した時点で前者のジョブが再開するジョブ割り込み手段を有し、前記一定時間内に、該割り込み手段により割り込みジョブが実行された場合は、割り込みジョブ終了から前記一定時間経過後に、表示ジョブ切り替え手段が、ジョブ管理手段における先頭ジョブを表示することを特徴とする画像形成装置。
【請求項８】
請求項２乃至７のいずれかにおいて、表示ジョブ切り替え手段がジョブ管理手段における先頭ジョブを表示するまでの時間を予めユーザー操作により設定可能であることを特徴とする画像形成装置。
【請求項９】
原稿を読み取る手段と、原稿画像を記憶する手段と、記憶した原稿画像を印刷する手段と、ジョブの動作設定及びジョブの実行を指示する操作手段と、ジョブの動作状況、設定状態を表示する表示手段と、原稿読み取りが完了し印刷が実行中である時に、新たなジョブを実行し、前記ジョブの印刷が完了した時点で新たなジョブの印刷を実行するジョブ予約手段と、表示するジョブを切り替える表示ジョブ切り替え手段と、ジョブ予約手段にて生成された印刷待機中のジョブが存在している状態で印刷中のジョブが終了した場合は該印刷中ジョブが抹消されるジョブ抹消手段と、抹消されていない全てのジョブの動作状況を時系列に管理するジョブ管理手段とを有し、ジョブ予約手段にて予約したジョブの原稿読み取りが完了した時点で、該表示ジョブ切り替え手段は、該ジョブ管理手段における先頭ジョブを表示することを特徴とする画像形成装置制御方法。
【請求項１０】
請求項９において、ジョブ予約手段にて予約したジョブの原稿読み取り完了後、一定時間経過すると、表示ジョブ切り替え手段がジョブ管理手段における先頭ジョブを表示し、前記一定時間内にユーザー操作が発生した場合は、ユーザー操作終了から一定時間経過後に、表示ジョブ切り替え手段がジョブ管理手段における先頭ジョブを表示することを特徴とする画像形成装置制御方法。
【請求項１１】
請求項１０において、ユーザー操作は、予約ジョブの設定変更操作であることを特徴とする画像形成装置制御方法。
【請求項１２】
請求項１０において、ユーザー操作は、表示ジョブ切り替え操作であることを特徴とする画像形成装置制御方法。
【請求項１３】
請求項１０において、ユーザー操作は、表示ジョブの中断操作であることを特徴とする画像形成装置制御方法。
【請求項１４】
請求項１０において、ユーザー操作は、ジョブ予約操作であることを特徴とする画像形成装置制御方法。
【請求項１５】
請求項１０において、ジョブ実行中に該ジョブを停止させた上で新たにジョブを実行し、後者のジョブが終了した時点で前者のジョブが再開すると共に後者のジョブが抹消されるジョブ割り込み手段を有し、前記一定時間内に、該割り込み手段により割り込みジョブが実行された場合は、割り込みジョブ終了から前記一定時間経過後に、表示ジョブ切り替え手段が、ジョブ管理手段における先頭ジョブを表示することを特徴とする画像形成装置制御方法。
【請求項１６】
請求項１０乃至１５のいずれかにおいて、表示ジョブ切り替え手段がジョブ管理手段における先頭ジョブを表示するまでの時間を予めユーザー操作により設定可能であることを特徴とする画像形成装置制御方法。
【請求項１７】
原稿を読み取る手段と、原稿画像を記憶する手段と、記憶した原稿画像を印刷する手段と、ジョブの動作設定及びジョブの実行を指示する操作手段と、ジョブの動作状況、設定状態を表示する表示手段と、原稿読み取りが完了し印刷が実行中である時に、新たなジョブを実行し、前記ジョブの印刷が完了した時点で新たなジョブの印刷を実行するジョブ予約手段と、表示するジョブを切り替える表示ジョブ切り替え手段と、ジョブ予約手段にて生成された印刷待機中のジョブが存在している状態で印刷中のジョブが終了した場合は該印刷中ジョブが抹消されるジョブ抹消手段と、抹消されていない全てのジョブの動作状況を時系列に管理するジョブ管理手段とを有し、ジョブ予約手段にて予約したジョブの原稿読み取りが完了した時点で、該表示ジョブ切り替え手段は、該ジョブ管理手段における先頭ジョブを表示することを特徴とする画像形成装置を制御するプログラムを記録したコンピュータ読み取り可能な記録媒体。
【請求項１８】
請求項１７において、ジョブ予約手段にて予約したジョブの原稿読み取り完了後、一定時間経過すると、表示ジョブ切り替え手段がジョブ管理手段における先頭ジョブを表示し、前記一定時間内にユーザー操作が発生した場合は、ユーザー操作終了から一定時間経過後に、表示ジョブ切り替え手段がジョブ管理手段における先頭ジョブを表示することを特徴とする画像形成装を制御するプログラムを記録したコンピュータ読み取り可能な記録媒体。
【請求項１９】
請求項１８において、ユーザー操作は、予約ジョブの設定変更操作であることを特徴とする画像形成装置を制御するプログラムを記録したコンピュータ読み取り可能な記録媒体。
【請求項２０】
請求項１８において、ユーザー操作は、表示ジョブ切り替え操作であることを特徴とする画像形成装置を制御するプログラムを記録したコンピュータ読み取り可能な記録媒体。
【請求項２１】
請求項１８において、ユーザー操作は、表示ジョブの中断操作であることを特徴とする画像形成装置を制御するプログラムを記録したコンピュータ読み取り可能な記録媒体。
【請求項２２】
請求項１８において、ユーザー操作は、ジョブ予約操作であることを特徴とする画像形成装置を制御するプログラムを記録したコンピュータ読み取り可能な記録媒体。
【請求項２３】
請求項１８において、ジョブ実行中に該ジョブを停止させた上で新たにジョブを実行し、後者のジョブが終了した時点で前者のジョブが再開すると共に後者のジョブが抹消されるジョブ割り込み手段を有し、前記一定時間内に、該割り込み手段により割り込みジョブが実行された場合は、割り込みジョブ終了から前記一定時間経過後に、表示ジョブ切り替え手段が、ジョブ管理手段における先頭ジョブを表示することを特徴とする画像形成装置を制御するプログラムを記録したコンピュータ読み取り可能な記録媒体。
【請求項２４】
請求項１８乃至２３のいずれかにおいて、表示ジョブ切り替え手段がジョブ管理手段における先頭ジョブを表示するまでの時間を予めユーザー操作により設定可能であることを特徴とする画像形成装置制御するプログラムを記録したコンピュータ読み取り可能な記録媒体。
【発明の詳細な説明】
【技術分野】
【０００１】
本発明は、予約機能を有する画像形成装置、画像形成装置制御方法、及び、記録媒体に関する。
【背景技術】
【０００２】
特開２００２−２４２３４４号公報（特許文献１）には、第２のコピージョブのモード設定をしている最中に第１のコピージョブがＪＡＭ等で中断した場合、第２のコピージョブの画面でＪＡＭ画面の解除を促す画面を表示するか否かをユーザーが選択可能な画像形成装置が記載されている。
【０００３】
特開２０００−３５１２５９号公報（特許文献２）には、複数のジョブに対して各々の設定画面を持ち、それら設定画面をずらし部分的に重ね合わせた状態で表示する画像形成装置が記載されている。
【０００４】
特開平１０−３１３３７５号公報（特許文献３）には、複数のジョブに対して表示内容の大小を設け、表示内容が少ないジョブに対して異常が発生した場合は、表示内容の大小を変更する画像形成装置が記載されている。
【０００５】
特開２００４−１５９３６６号公報（特許文献４）には、第２のコピージョブのモード設定をしている最中に第１のコピージョブがＪＡＭ等で中断した場合、第２のコピージョブの画面で第１のコピージョブの画面に表示を切り替えるようユーザーに警告表示する画像形成装置が記載されている。
【０００６】
コピー印刷中に、次の原稿束を読み込み、印刷が終了した時点で次の原稿束に対して印刷を実行する予約機能では、各ジョブの動作設定やコピーの実行状況を各ジョブ毎に表示することにより、各ジョブの詳細な状態を把握することができる。
【０００７】
従来技術においては、印刷中のジョブが存在する時に予約ジョブを実行すると、画面状態は予約ジョブを表示したままにしているが、エラーが発生しやすいのは印刷中のジョブであり、印刷待ち状態になっている予約ジョブではない。そのため、印刷中のジョブが停止状態になり、それ以降の予約ジョブが実行できないという状態が発生していてもなかなか気づかれないまま放置されているケースが多々ある。
【０００８】
このような課題への解決策として、従来技術においては、特開２００２−２４２３４４号公報（特許文献１）に記載の発明のように、表示ジョブの状態で印刷ジョブでエラーが発生した旨を表示するためのキーを設けている。この場合、印刷中のジョブでどのような設定が為されているのかといった詳細まで知ることが出来ない。この技術に対して特開２００４−１５９３６６号公報（特許文献４）に記載の発明では、印刷中ジョブにエラーが発生した場合に印刷中のジョブへの表示の切り替えを促すよう警告表示している。しかし、この場合であってもキー操作により、印刷中のジョブを表示させるという煩わしい操作をしなければならない。装置の操作部の表示がジョブ毎になっているこれらのケース以外に、装置の表示部に一度に複数のジョブの状態を表示するという解決策が、特開２０００−３５１２５９号公報（特許文献２）、特開平１０−３１３３７５号公報（特許文献３）に見られるが、その場合、操作部全面を使ってジョブの状態を表示することができないため、表示内容が制限されてしまい、適切なユーザー操作を促すことができない。
【特許文献１】特開２００２−２４２３４４号公報
【特許文献２】特開２０００−３５１２５９号公報
【特許文献３】特開平１０−３１３３７５号公報
【特許文献４】特開２００４−１５９３６６号公報
【発明の開示】
【発明が解決しようとする課題】
【０００９】
本発明は、上述のごとき実情に鑑みてなされたもので、
請求項１の発明は、予約ジョブにおいて読み取りが完了した時点で、印刷中ジョブに表示を切り替えることにより、印刷中のジョブが異常状態となっていることを発見しやすくすることを目的としてなされたものである。
【００１０】
請求項２乃至請求項８の発明は、読み取り完了後、印刷中ジョブに表示が切り替えられるまでに一定時間をおき、予約ジョブの設定内容を修正したり、予約ジョブをキャンセルするといった予約ジョブに対する修正時間をユーザーに与えつつ、請求項１の発明を維持することを目的としてなされたものである。
【課題を解決するための手段】
【００１１】
請求項１の発明は、原稿を読み取る手段と、原稿画像を記憶する手段と、記憶した原稿画像を印刷する手段と、ジョブ（読み取り手段から印刷手段までの一連の動作）の動作設定及びジョブの実行を指示する操作手段と、ジョブの動作状況、設定状態を表示する表示手段と、原稿読み取りが完了し印刷が実行中である時に、新たなジョブを実行し、前記ジョブの印刷が完了した時点で前記ジョブの印刷を実行するジョブ予約手段と、表示するジョブを切り替える表示ジョブ切り替え手段と、ジョブ予約手段にて生成された印刷待機中のジョブが存在している状態で印刷中のジョブが終了した場合は該印刷中ジョブが抹消されるジョブ抹消手段と、抹消されていない全てのジョブの動作状況を時系列に管理するジョブ管理手段とを有し、ジョブ予約手段にて予約したジョブの原稿読み取りが完了した時点で、該表示ジョブ切り替え手段は、該ジョブ管理手段における先頭ジョブを表示することを特徴としたものである。
【００１２】
請求項２の発明は、請求項１の発明において、ジョブ予約手段にて予約したジョブの原稿読み取り完了後、一定時間経過すると、表示ジョブ切り替え手段がジョブ管理手段における先頭ジョブを表示し、前記一定時間内にユーザー操作が発生した場合は、ユーザー操作終了から一定時間経過後に、表示ジョブ切り替え手段がジョブ管理手段における先頭ジョブを表示することを特徴としたものである。
【００１３】
請求項３の発明は、請求項２の発明において、ユーザー操作は、予約ジョブの設定変更操作であることを特徴としたものである。
【００１４】
請求項４の発明は、請求項２の発明において、ユーザー操作は、表示ジョブ切り替え操作であることを特徴としたものである。
【００１５】
請求項５の発明は、請求項２の発明において、ユーザー操作は、表示ジョブの中断操作であることを特徴としたものである。
【００１６】
請求項６の発明は、請求項２の発明において、ユーザー操作は、ジョブ予約操作であることを特徴とする画像形成装置。
【００１７】
請求項７の発明は、請求項２の発明において、ジョブ実行中に該ジョブを停止させた上で新たにジョブを実行し、後者のジョブが終了した時点で前者のジョブが再開するジョブ割り込み手段を有し、前記一定時間内に、該割り込み手段により割り込みジョブが実行された場合は、割り込みジョブ終了から前記一定時間経過後に、表示ジョブ切り替え手段が、ジョブ管理手段における先頭ジョブを表示することを特徴としたものである。
【００１８】
請求項８の発明は、請求項２乃至７のいずれかの発明において、表示ジョブ切り替え手段がジョブ管理手段における先頭ジョブを表示するまでの時間を予めユーザー操作により設定可能であることを特徴としたものである。
【００１９】
請求項９の発明は、原稿を読み取る手段と、原稿画像を記憶する手段と、記憶した原稿画像を印刷する手段と、ジョブ（読み取り手段から印刷手段までの一連の動作）の動作設定及びジョブの実行を指示する操作手段と、ジョブの動作状況、設定状態を表示する表示手段と、原稿読み取りが完了し印刷が実行中である時に、新たなジョブを実行し、前記ジョブの印刷が完了した時点で新たなジョブの印刷を実行するジョブ予約手段と、表示するジョブを切り替える表示ジョブ切り替え手段と、ジョブ予約手段にて生成された印刷待機中のジョブが存在している状態で印刷中のジョブが終了した場合は該印刷中ジョブが抹消されるジョブ抹消手段と、抹消されていない全てのジョブの動作状況を時系列に管理するジョブ管理手段とを有し、ジョブ予約手段にて予約したジョブの原稿読み取りが完了した時点で、該表示ジョブ切り替え手段は、該ジョブ管理手段における先頭ジョブを表示することを特徴としたものである。
【００２０】
請求項１０の発明は、請求項９の発明において、ジョブ予約手段にて予約したジョブの原稿読み取り完了後、一定時間経過すると、表示ジョブ切り替え手段がジョブ管理手段における先頭ジョブを表示し、前記一定時間内にユーザー操作が発生した場合は、ユーザー操作終了から一定時間経過後に、表示ジョブ切り替え手段がジョブ管理手段における先頭ジョブを表示することを特徴としたものである。
【００２１】
請求項１１の発明は、請求項１０の発明において、ユーザー操作は、予約ジョブの設定変更操作であることを特徴としたものである。
【００２２】
請求項１２の発明は、請求項１０の発明において、ユーザー操作は、表示ジョブ切り替え操作であることを特徴としたものである。
【００２３】
請求項１３の発明は、請求項１０の発明において、ユーザー操作は、表示ジョブの中断操作であることを特徴としたものである。
【００２４】
請求項１４の発明は、請求項１０の発明において、ユーザー操作は、ジョブ予約操作であることを特徴としたものである。
【００２５】
請求項１５の発明は、請求項１０の発明において、ジョブ実行中に該ジョブを停止させた上で新たにジョブを実行し、後者のジョブが終了した時点で前者のジョブが再開すると共に後者のジョブが抹消されるジョブ割り込み手段を有し、前記一定時間内に、該割り込み手段により割り込みジョブが実行された場合は、割り込みジョブ終了から前記一定時間経過後に、表示ジョブ切り替え手段が、ジョブ管理手段における先頭ジョブを表示することを特徴としたものである。
【００２６】
請求項１６の発明は、請求項１０乃至１５のいずれかの発明において、表示ジョブ切り替え手段がジョブ管理手段における先頭ジョブを表示するまでの時間を予めユーザー操作により設定可能であることを特徴としたものである。
【００２７】
請求項１７の発明は、原稿を読み取る手段と、原稿画像を記憶する手段と、記憶した原稿画像を印刷する手段と、ジョブ（読み取り手段から印刷手段までの一連の動作）の動作設定及びジョブの実行を指示する操作手段と、ジョブの動作状況、設定状態を表示する表示手段と、原稿読み取りが完了し印刷が実行中である時に、新たなジョブを実行し、前記ジョブの印刷が完了した時点で新たなジョブの印刷を実行するジョブ予約手段と、表示するジョブを切り替える表示ジョブ切り替え手段と、ジョブ予約手段にて生成された印刷待機中のジョブが存在している状態で印刷中のジョブが終了した場合は該印刷中ジョブが抹消されるジョブ抹消手段と、抹消されていない全てのジョブの動作状況を時系列に管理するジョブ管理手段とを有し、ジョブ予約手段にて予約したジョブの原稿読み取りが完了した時点で、該表示ジョブ切り替え手段は、該ジョブ管理手段における先頭ジョブを表示することを特徴としたものである。
【００２８】
請求項１８の発明は、請求項１７の発明において、ジョブ予約手段にて予約したジョブの原稿読み取り完了後、一定時間経過すると、表示ジョブ切り替え手段がジョブ管理手段における先頭ジョブを表示し、前記一定時間内にユーザー操作が発生した場合は、ユーザー操作終了から一定時間経過後に、表示ジョブ切り替え手段がジョブ管理手段における先頭ジョブを表示することを特徴としたものである。
【００２９】
請求項１９の発明は、請求項１８の発明において、ユーザー操作は、予約ジョブの設定変更操作であることを特徴としたものである。
【００３０】
請求項２０の発明は、請求項１８の発明において、ユーザー操作は、表示ジョブ切り替え操作であることを特徴としたものである。
【００３１】
請求項２１の発明は、請求項１８の発明において、ユーザー操作は、表示ジョブの中断操作であることを特徴としたものである。
【００３２】
請求項２２の発明は、請求項１８の発明において、ユーザー操作は、ジョブ予約操作であることを特徴としたものである。
【００３３】
請求項２３の発明は、請求項１８の発明において、ジョブ実行中に該ジョブを停止させた上で新たにジョブを実行し、後者のジョブが終了した時点で前者のジョブが再開すると共に後者のジョブが抹消されるジョブ割り込み手段を有し、前記一定時間内に、該割り込み手段により割り込みジョブが実行された場合は、割り込みジョブ終了から前記一定時間経過後に、表示ジョブ切り替え手段が、ジョブ管理手段における先頭ジョブを表示することを特徴としたものである。
【００３４】
請求項２４の発明は、請求項１８乃至２３のいずれかの発明において、表示ジョブ切り替え手段がジョブ管理手段における先頭ジョブを表示するまでの時間を予めユーザー操作により設定可能であることを特徴としたものである。
【発明の効果】
【００３５】
請求項１の発明では、予約ジョブにおいて読み取りが完了した時点で、印刷中ジョブに表示を切り替えるようにしたので、印刷中のジョブが異常状態となっていることを発見しやすくしている。
【００３６】
請求項２乃至請求項８の発明では、読み取り完了後、印刷中ジョブに表示が切り替えられるまでに一定時間をおいているため、予約ジョブの設定内容を修正したり、予約ジョブをキャンセルするといった予約ジョブに対する修正時間をユーザーに与えつつ、請求項１の発明を維持することができる。
【発明を実施するための最良の形態】
【００３７】
図１は、本発明が適用される画像形成装置の一例としての複写機の構成例を示すブロック図、図２は、該複写機の要部構成図で、図１において、２１は読み取り手段、２２は印刷手段、２３は画像記憶手段、２４は操作部表示手段、２０はこれら手段を制御する制御手段で、読み取り手段２１は、図２に示すように、自動原稿送り装置（以後ＡＤＦ）１、原稿台２、読み取りユニット４で構成されている。
【００３８】
図３は、操作部３０の構成例を示す平面図で、該操作部３０上のプリントキー３４が押下されると、メインコントローラ２０より読み取り命令を受けた読み取り手段２１は、ＡＤＦ１に戴置された原稿をＡＤＦ１より読み取りユニット４のコンタクトガラス３上に給送し、読み取りユニット４内のＣＣＤイメージセンサ５等により、画像情報を読み取り電気信号に変換し、読み取りが終了した原稿をＡＤＦ１上に排出する。さらに、原稿がＡＤＦ１上に存在している場合は、前原稿と同様にコンタクトガラス３上に給送され読み取られる。読み取り手段２１にて読み取られた原稿画像データは、メインコントローラ２０が読み取り手段２１に電気信号を画像記憶手段２３に送出するよう指示することにより、画像記憶手段２３に送出される。
【００３９】
図４は、画像記憶手段２３の内部構成を示すブロック図で、該画像記憶手段２３は、読み取り手段２１から受信した電気信号をデジタル信号に変換するＡ／Ｄコンバータ６１、デジタル信号に対する画像処理（シェーディング補正、ＭＴＦ補正、γ補正等）を行う画像処理回路６２、画像データを指定された倍率に拡大／縮小する変倍回路６３、１ページ分の画像データを記憶する画像メモリ６４、画像データを長期に渡り保持するためのＨＤ６５、画像メモリへのデータの書き込み読み出し、ＨＤへの書き込み、読み出し、印刷手段への画像データの送出、メインコントローラへのデータの送出を制御するメモリコントローラ６６、入力された画像の流れやＨＤもしくは画像メモリ上データの送出先をメモリコントローラ６６に指示するＣＰＵ６７，プログラムやデータを格納するＲＯＭ６８、ＲＡＭ６９、ＮＶ−ＲＡＭ７１、外部の例えばパーソナルコンピュータ等のデータ処理装置から入力したデータを受信するＩ／Ｏポート７２から構成される。
【００４０】
次に、図２に戻り、印刷手段２２について説明する。印刷手段２２は、第１トレイ６、第２トレイ７、第３トレイ８、第１給紙ユニット装置９、第２給紙ユニット１０、第３給紙ユニット１１、縦搬送ユニット１２、書き込みユニット１３、現像ユニット１４、感光体１５、定着ユニット１７、排紙ユニット１８、フィニッシャ１００により構成されている。読み取り手段２１にて読み取れた原稿画像データは、画像記憶手段２３、メインコントローラ２０を経由して、印刷手段２２に送出され、印刷手段２２の書き込みユニット１３からのレーザー光によって感光体１５に書き込まれ、現像ユニット１４を通過することによって感光体１５上にトナー像が形成される。第１トレイ、もしくは、第２、第３のいずれか１つから給紙された転写紙は縦搬送ユニット１２経由し、感光体１５の回転と等速で搬送ベルト１６によって搬送されながら、感光体１５上のトナー像を転写紙上に転写される。その後、転写紙は、定着ユニット１７を通過することにより、トナー像を紙面に定着させ、排紙ユニット１８によって後処理装置のフィニシャ２５に送られ、排紙トレー２６に排出される。
【００４１】
次に、図３を用いて操作部３０について説明する。操作部３０は、液晶タッチパネル３１、テンキー３２、ストップキー３３、プリントキー３４、リセットキー３５、初期設定キー３６、割り込みキー３７で構成されており、これらキー押下が発生すると操作部表示手段２４からメインコントローラ２０へキー押下が発生した旨が通知される。ここで、テンキー３２はコピーの部数の入力に用いられる。ストップキー３３はコピー動作を中断するのに用いる。プリントキー３４はコピー動作の実行開始を行うのに用いる。
【００４２】
図３に示した初期設定キー３６を押すと、図５に示す、機器の初期状態を設定する画面に移ることができる。本発明における時間設定は、図５のキー５０を押下することにより秒単位で設定可能である。ここで設定される時間の使われ方については、後述する。
【００４３】
次に、図３に示した割り込みキー３７を押下した時の動作について説明する。割り込みキー３７を押下すると、図６に示す画面が、図３に示した液晶タッチパネル３１に表示され、原稿読み取り中のジョブは読み取りを停止する。再度割り込みキー３７を押下すると割り込みが解除され、液晶タッチパネル３１には、図４に示す表示がなされる。図６に示す割り込みコピー画面を表示している状態で、ＡＤＦに原稿を置き、プリントキー３４を押下すると原稿読み取りが開始されると共に、直前のジョブの印刷動作が停止する。印刷動作が停止すると、割り込みコピーの印刷出力が開始され、印刷が終了すると、停止していた直前のジョブの印刷が再開する。
【００４４】
（実施例におけるジョブ予約手段の動作）
次に、本実施例におけるジョブ予約手段について説明する。
ＡＤＦ１に原稿を載せ、プリントキー３４を押下すると、読み取り手段２１により原稿が読み取られ、読み取られた原稿画像は画像記憶手段２３に転送される。ここで画像処理が施されると印刷手段２２で原稿画像が印刷出力される。ここで、印刷が出力中であり、原稿読み取りが完了している状態になると、液晶タッチパネル３１には、図７に示すように、「新規予約」キー７０が表示される。「新規予約」キー７０を押下すると、液晶タッチパネル３１は、図８の表示となり、次のジョブに対する原稿の読み取りが可能になる。
【００４５】
上記状態で、ＡＤＦ１に原稿を置き、プリントキー３４を押下すると、原稿読み取りが開始され、読み取りが完了すると、図６の「予約できます」の表示８０が「印刷待機中です。」になる。
【００４６】
ここで、ジョブ管理手段について述べる。
ジョブ管理手段は、メインコントローラ（制御手段）２０と画像記憶手段２３で構成されている。ジョブ管理手段は、ジョブＩＤ，ジョブの実行状態、ジョブの実行順序、ジョブの設定状態を管理する（図９に示す、ジョブ管理表、参照）。図９に示すジョブ管理表において、ジョブＩＤは、実行されているジョブ毎に割り振られており、異なるジョブ間で重複しないようになっている。ジョブの設定状態には、そのジョブで使用する給紙段などコピーモード設定が保持され、例えば、ユーザー操作により使用する給紙段が変更された場合は、上記ジョブの設定状態の中の使用する給紙段情報が書き換えられる。
【００４７】
図９に示すジョブ管理表は、ジョブの状態が変化するたびに更新されており、例えば、ジョブＩＤ３０１の印刷が完了すると、次のジョブＩＤ３０２のジョブが「印刷待機中」の状態から「印刷中」の状態になる。
ジョブ管理表は、印刷中、印刷待機中、読み取り中、設定中のジョブのみを管理しており、装置の電源が切れても保持し続ける必要がないため、ＲＡＭ６９上に作成されている。
印刷が完了したジョブについては、ジョブ管理表から抹消され、ジョブに関する設定情報等はＲＡＭ６９からもクリアされる（ジョブ抹消手段）
【００４８】
図９に示したジョブ管理表において、その前後に既にジョブが存在しているような状態になると、図１０に示すように、液晶タッチパネル３１には「前へ」９０、「後へ」９１、「新規予約」９２、「設定変更」９３なる４つのキーが表示される。
【００４９】
「前へ」キー９０を押下すると、ジョブ管理表において直前のジョブが液晶タッチパネル３１に表示される。「後へ」キー９１が押下されると、ジョブ管理表における一つ後のジョブの状態が表示される。「新規予約」キー９２を押下すると、新たなジョブの画面が表示され、ＲＡＭ６９に新たなジョブの動作情報や設定態が書き込まれる。「設定変更」キー９３を押下すると、現在表示されているジョブに関する動作設定の変更が可能になる。ただし、この「設定変更」キー９３は印刷待機中のジョブに対してのみ可能な設定であり、このジョブが印刷中になると「設定変更」キー９３が表示されなくなる。「設定変更」キー９３の押下により、ジョブの動作設定、例えば、「片面コピー」を「両面コピー」に変更するなどといったことが可能になる。
【００５０】
次に、本発明の実施例について図１３に示すフローチャートを用いて説明する。
既に、印刷中のジョブが存在しているときに、図７に示す新規予約キー７０を押下する（Ｓ２）と、図９に示すジョブ管理表に新たにジョブが登録される（Ｓ３）。操作部にて、このジョブに対する動作設定を実施し、プリントキー３４（図３参照）を押下する（Ｓ４）。このときＡＤＦに原稿があればその原稿の読み取り動作を開始する（Ｓ５）。ここで、読み取られた原稿画像は画像記憶手段２３を介して印刷手段２２にて印刷出力される。ジョブ管理表のジョブ状態は、通常「設定中」→「読み取り中」→「コピー中」→「印刷中」となる。「読み取り中」の状態では、印刷は開始されていない、もしくは、用紙不足などにより印刷ができず、読み取りのみを実行している状態になっていることを示す。「コピー中」の状態では読み取りと印刷が並行して動作している。「印刷中」の状態では、既に原稿の読み取りが完了しており、テンキー３２によって指定された部数分の印刷出力が実行されていることを示している。従って、原稿読み取りを開始した直後は、ジョブ管理表に「読み取り中」という状態が記述される（Ｓ６）。原稿の読み取りが完了する（Ｓ７）と、このジョブよりも前に実行されたジョブが印刷中、もしくは、印刷待機状態になっていれば、このジョブの状態は「印刷待機中」となる。このとき、初期設定画面（図５）で指定時間が経過すると、表示ジョブの切り替えが実行され、液晶タッチパネル３１はジョブ管理表における先頭ジョブの状態を表示する（Ｓ９）。
【００５１】
図１３に示すフローチャートのステップＳ９において、表示されている印刷待機中のジョブに対して「設定変更」キー９３を押下すると、そのジョブの動作設定を変更することが可能で、液晶タッチパネル３１の表示は、図１１に示す「手段設定変更中です。」に変わる。このときジョブの状態は「設定中」になる。動作設定を変更し「変更終了」キー１００を押下すると、ジョブの状態が印刷待機状態に戻り、先頭ジョブへの表示ジョブ切り替えが発動されるまでの時間が再計測される。
【００５２】
また、図１３に示すフローチャートのステップＳ９において、表示するジョブを「前へ」キー９０等（図１０参照）を押下することにより他のジョブに変更すると、先頭ジョブへの表示ジョブ切り替えが発動されるまでの時間が再計測される。
【００５３】
図１３に示すフローチャートのステップＳ９の状態で、ストップキー３４（図３参照）を押下すると、図１２に示すように、「コピーを中止しますか」なる画面が表示され、そのジョブを抹消するか、継続するか選択可能になる。ここで、「中止」キー１１１を押下するとこのジョブは抹消され、「継続」キー１１０を押下すると印刷待機状態に戻る。ステップＳ９における時間計測は上記ストップキー３４押下時に停止され、「中止」キー１１１、もしくは「継続」キー１１０を押下した時に再計測が開始される。
【００５４】
図１３のフローチャートのステップＳ９の状態で、割り込みキー３７（図３参照）を押下すると、液晶タッチパネル３１は、図６に示す表示となり、Ｓ９における時間計測がキャンセルされ、再計測が開始される。ここで、割り込みコピーを実行すべく、ＡＤＦに原稿を置き、プリントキー３４を押下すると上記時間計測がキャンセルされ、割り込みコピーが終了するまで再計測されない。割り込みコピーが終了した時点で時間計測が開始され、α時間が経過すると割り込み状態が自動的に解除され、ジョブ管理表における先頭ジョブが表示される。
【００５５】
図１３のフローチャートのステップＳ９の状態で「新規予約」キー９２（図１０参照）を押下すると、液晶タッチパネル３１は、図８に示す状態となり、Ｓ９における時間計測がキャンセルされ、再計測が開始される。ここでα時間、無操作が発生すると、新規予約したジョブが抹消され、液晶タッチパネル３１にはジョブ管理表における先頭ジョブが表示される。
【図面の簡単な説明】
【００５６】
【図１】本発明が適用される画像形成装置の一例としての複写機の構成例を示すブロック図である。
【図２】本発明が適用される画像形成装置の一例としての複写機の要部構成図である。
【図３】操作部の構成例を示す平面図である。
【図４】画像記憶手段の内部構成を示すブロック図である。
【図５】液晶タッチパネル（ディスプレイ）の初期設定状態を表示している画面である。
【図６】液晶タッチパネルの割り込みコピー画面設定状態を表示している画面である。
【図７】液晶タッチパネルの印刷中状態を表示している画面である。
【図８】液晶タッチパネルの次のジョブに対する原稿の読み取りが可能状態を表示している画面である。
【図９】ジョブ管理表を示す図である。
【図１０】液晶タッチパネルが印刷待機状態を表示している画面である。
【図１１】液晶タッチパネルが手段設定変更中である状態を表示している画面である。
【図１２】液晶タッチパネルが印刷待機中である状態を表示している画面である。
【図１３】本発明の動作説明をするためのフローチャートである。
【符号の説明】
【００５７】
１…ＡＤＦ、２…原稿台、３…コンタクトガラス、４…読み取りユニット、５…ＣＣＤイメージセンサ、６…第１トレイ、７…第２トレイ、８…第３トレイ、９…第１給紙ユニット装置、１０…第２給紙ユニット、１１…第３給紙ユニット、１２…縦搬送ユニット、１３…書き込みユニット、１４…現像ユニット、１５…感光体、１６…搬送ベルト、１７…定着ユニット、１８…排紙ユニット、２０…制御手段、２１…読み取り手段、２２…印刷手段、２３…画像記憶手段、２４…操作部表示手段、２５…フィニシャ、３０…操作部、３１…液晶タッチパネル（ディスプレイ）、３２…テンキー、３３…ストップキー、３４…プリントキー、３５…リセットキー、３６…初期設定キー、３７…割り込みキー、５０…キー、６１…Ａ／Ｄコンバータ、６２…画像処理回路、６３…変倍回路、６４…画像メモリ、６５…ＨＤ、６６…メモリコントローラ、６７…ＣＰＵ、６８…ＲＯＭ、６９…ＲＡＭ、７０…「新規予約」キー、７１…ＮＶ−ＲＡＭ、７２…Ｉ／Ｏポート、９０…「前へ」キー、９１…「後へ」キー、９２…「新規予約」キー、９３…「設定変更」キー、１００…「変更終了」キー、１１０…「継続」キー、１１１…「中止」キー、３０１，３０２…ジョブＩＤ。
【図１】
2006308913.tif 000003
【図２】
2006308913.tif 000004
【図３】
2006308913.tif 000005
【図４】
2006308913.tif 000006
【図５】
2006308913.tif 000007
【図６】
2006308913.tif 000008
【図７】
2006308913.tif 000009
【図８】
2006308913.tif 000010
【図９】
2006308913.tif 000011
【図１０】
2006308913.tif 000012
【図１１】
2006308913.tif 000013
【図１２】
2006308913.tif 000014
【図１３】
2006308913.tif 000015